(57)【要約】      （修正有）【課題】焼成した貝殻の粉末による殺菌作用を有する遺体被覆体を提供する。【解決手段】遺体被覆体１は、遺体を被覆する本体部１１が、焼成した貝殻の粉末を含有する不織布で形成されており、本体部１１は、経帷子の形状に形成されているものである。また、遺体被覆体１は、本体部１１の内表面に支持された、一端が遺体の腹腔に挿入されたチューブの他端側が導入される非透水性の袋体２０を、更に具備するものとすることができる。【選択図】図１
0003172526.tif 000002
【実用新案登録請求の範囲】
【請求項１】
遺体を被覆する本体部が、焼成した貝殻の粉末を含有する不織布で形成されており、
前記本体部は、経帷子の形状に形成されている
ことを特徴とする遺体被覆体。
【請求項２】
遺体を被覆する本体部が、焼成した貝殻の粉末を含有する不織布で形成されており、
前記本体部は、ファスナーで開閉される開口部を備えた袋状に形成されている
ことを特徴とする遺体被覆体。
【請求項３】
前記本体部の内表面に支持された、一端が遺体の腹腔に挿入されたチューブの他端側が導入される非透水性の袋体を、更に具備する
ことを特徴とする請求項１または請求項２に記載の遺体被覆体。
【請求項４】
前記本体部の内表面に取り付けられたポケットを更に具備し、
該ポケットの内部に前記袋体が保持されている
ことを特徴とする請求項３に記載の遺体被覆体。
【請求項５】
前記本体部は、外側が樹脂シートで被覆された前記不織布で形成されている
ことを特徴とする請求項２乃至請求項４の何れか一つに記載の遺体被覆体。
【考案の詳細な説明】
【技術分野】
【０００１】
本考案は、遺体を被覆する遺体被覆体に関するものである。
【背景技術】
【０００２】
焼成した貝殻の粉末が殺菌作用を示すことが、種々報告されている（例えば、非特許文献１参照）。貝殻の主成分である炭酸カルシウムは、高温で焼成することにより酸化カルシウムとなる。この酸化カルシウムの水和によるｐＨの上昇が、殺菌作用を示す主な要因であると言われており、ｐＨの上昇に伴い殺菌作用が増大することが報告されている。しかしながら、同じｐＨ値を示す水酸化ナトリウム溶液と比べて、殺菌作用がかなり高いとの報告がなされており、焼成した貝殻の粉末が示す殺菌作用には、高アルカリ性を呈すること以外の、何らかの機構があると考えられている。
【０００３】
一方、貝から可食部分が除去された後、貝殻は産業廃棄物として廃棄対象となるが、その量は年間数十万トン以上にのぼると言われている。本考案者は、焼成した貝殻の粉末が示す上記の殺菌作用に着目し、廃棄対象とされている貝殻を資源として有効に活用すべきであるとの考えから、焼成した貝殻の粉末を使用した新規な物品を種々考案している。本考案は、その一つとしてなされたものである。
【考案の概要】
【考案が解決しようとする課題】
【０００４】
本考案は、焼成した貝殻の粉末を使用した新規な物品として、遺体被覆体を提供することを課題としている。
【課題を解決するための手段】
【０００５】
上記課題を解決するため、本考案にかかる遺体被覆体は、「遺体を被覆する本体部が、焼成した貝殻の粉末を含有する不織布で形成されており、前記本体部は、経帷子の形状に形成されている」ものである。
【０００６】
貝殻の粉末の結晶相をＸ線回折で同定すると、未焼成の貝殻の主成分は炭酸カルシウムであるが、７００℃以上の加熱により酸化カルシウムの回折ピークが認められるようになり、１０００℃以上の加熱でほぼ酸化カルシウムの単一相となる。従って、「焼成した貝殻の粉末」の焼成温度は、１０００℃以上とすることが望ましい。
【０００７】
「貝殻」に使用する貝の種類は特に限定されず、ホタテ貝、カキ、ホッキ貝、ハマグリ、アサリ等を使用可能である。わが国では、産業廃棄物として廃棄対象となる貝殻は、ホタテ貝が最も多く全体の６割以上を占めると言われているため、資源の有効利用の点で、ホタテ貝の貝殻を用いることが望ましい。
【０００８】
「焼成した貝殻の粉末を含有する不織布」は、例えば、繊維の集積層であるウェブを形成する工程を湿式法により行う場合、原料繊維の懸濁液に焼成した貝殻の粉末を混合することにより形成することができる。或いは、形成されたウェブの繊維を結合する工程をケミカルボンド法で行う場合、バインダー液に焼成した貝殻の粉末を混合することにより形成することができる。
【０００９】
上記構成の遺体被覆体は、遺体を被覆する本体部が経帷子の形状であるので、通夜や葬儀の際の装束として適している。そして、本体部を構成する不織布には、焼成した貝殻の粉末が含有されているので、その殺菌作用及び細菌の増殖を抑制する作用により、においの発生や遺体の表面部における腐敗の進行を抑制することができる。
【００１０】
本考案にかかる遺体被覆体は、上記構成に替えて、「遺体を被覆する本体部が、焼成した貝殻の粉末を含有する不織布で形成されており、前記本体部は、ファスナーで開閉される開口部を備えた袋状に形成されている」ものとすることができる。
【００１１】
上記構成の遺体被覆体は、遺体を被覆する本体部がファスナーで開閉される開口部を備えた袋状であるので、遺体の搬送用あるいは災害時の遺体収容のための備蓄品として適している。
【００１２】
本考案にかかる遺体被覆体は、上記構成に加えて、「前記本体部の内表面に支持された、一端が遺体の腹腔に挿入されたチューブの他端側が導入される非透水性の袋体を、更に具備する」ものとすることができる。
【００１３】
遺体は腐敗の進行により腹部が膨張するため、腹腔を設けてチューブを挿入する処置が行われることがある。その際、チューブを介して体内から外部に体液が排出される。上記構成の遺体被覆体では、非透水性の材料で形成された袋体が本体部の内表面に支持されているので、この袋体に上記のチューブの他端を導入すれば、体内から排出された体液は袋体内に収容される。これにより、体内から排出された体液が遺体被覆体の外部に漏出するおそれを、低減することができる。
【００１４】
なお、袋体が本体部の内表面に支持される態様としては、袋体が本体部の内表面に縫着・接着された態様の他、袋体が本体部の内表面に着脱可能に支持された態様とすることができる。着脱可能な支持態様としては、雌雄の面ファスナーの一方が袋体に、他方が本体部の内表面に取り付けられている態様、一端が本体部の内表面に取り付けられ他端が袋体に取り付けられる紐状部材において、少なくとも一端側の取り付けをリング状部材とフックとの係合とした態様を、例示することができる。
【００１５】
本考案にかかる遺体被覆体は、上記構成に加えて、「前記本体部の内表面に取り付けられたポケットを更に具備し、該ポケットの内部に前記袋体が保持されている」ものとすることができる。
【００１６】
上記構成の遺体被覆体では、本体部の内表面に取り付けられたポケット内に袋体を入れるという、極めて容易な作業により、袋体を本体部の内表面に着脱可能に支持させることができる。
【００１７】
本考案にかかる遺体被覆体は、上記構成に加えて、「前記本体部は、外側が樹脂シートで被覆された前記不織布で形成されている」ものとすることができる。
【００１８】
不織布製の本体部が樹脂シートで被覆される態様としては、不織布と樹脂シートが重ね合わされて二重構造となった態様、樹脂シートの片面に不織布が接着されて一体化された態様を例示することができる。
【００１９】
上記構成の遺体被覆体では、外側から被覆する樹脂シートによって本体部の機械的強度や耐摩耗性が高められるため、遺体搬送用の用途により適したものとなる。また、ガス不透過性の樹脂シートを使用すれば、遺体被覆体の外部へのにおいの拡散を、より有効に抑制することができる。
【考案の効果】
【００２０】
以上のように、本考案によれば、焼成した貝殻の粉末を使用した新規な物品として、遺体被覆体を提供することができる。
【図面の簡単な説明】
【００２１】
【図１】本考案の第一実施形態の遺体被覆体の説明図である。
【図２】袋体の説明図である。
【図３】図１の遺体被覆体がポケットを備える場合の説明図である。
【図４】本考案の第二実施形態の遺体被覆体の斜視図である。
【図５】図４の遺体被覆体がポケットを備える場合の説明図である。
【考案を実施するための形態】
【００２２】
以下、本考案の第一実施形態である遺体被覆体１について、図１及び図２に基づいて説明する。遺体被覆体１は、遺体を被覆する本体部１１が、焼成した貝殻の粉末を含有する不織布で形成されており、本体部１１は、経帷子の形状に形成されているものである。また、遺体被覆体１は、本体部１１の内表面に支持された非透水性の袋体２０を更に具備している。この袋体２０は、一端が遺体の腹腔に挿入されたチューブ９０の他端側が導入されるものである。
【００２３】
より詳細に説明すると、本体部１１を構成する不織布には、ホタテ貝の貝殻を１１００℃以上の温度で焼成し粉砕した粉末が含有されている。この粉末の粒子径（直径）は、レーザー回折・散乱式粒子径分布測定装置（日機装株式会社製、マイクロトラックＭＴ３３００）で測定した結果、メディアン径として約３０μｍであった。
【００２４】
経帷子の形状に形成された本体部１１の両前身頃の内表面には、遺体の腹部の近傍となる位置に、図示しない面ファスナーを介して、袋体２０が着脱可能に装着されている。この袋体２０は、非透水性の樹脂シートで形成されている。袋体２０の開口部は、栓２５が嵌め込まれた部分を除く開口縁部２１でヒートシールされており、栓２５の外周面も袋体２０と溶着されている。これにより袋体２０の開口部は封止され、袋体２０の内部空間と外部空間とは、栓２５に設けられた貫通孔部２６のみで連通している。この貫通孔部２６には、一端が遺体の腹腔に挿入されたチューブ９０が挿通され、チューブ９０の他端は袋体２０の底部近傍に至っている。なお、袋体２０の内部には、高分子吸水ポリマー等の吸水剤、活性炭等の吸着・脱臭剤等を封入しておくことができる。
【００２５】
上記構成の遺体被覆体１は、本体部１１が経帷子の形状であるため、通夜や葬儀の際の装束として使用することができる。本体部１１を構成する不織布には、焼成した貝殻の粉末が含有されているので、その殺菌作用及び細菌の増殖を抑制する作用により、においの発生や遺体の表面部における腐敗の進行を抑制することができる。
【００２６】
近年では、布製の経帷子に加えて不織布製の経帷子も普及してきているが、遺体被覆体１の外観は、通常の不織布製の経帷子と同じである。これにより、遺族や参列者に違和感を与えることなく、従来の経帷子では発揮することができない、殺菌作用及び細菌の増殖を抑制する作用を発揮することができる。
【００２７】
また、貫通孔部２６にチューブ９０が挿通された袋体２０から内部の空気を押し出し、その状態でチューブ９０の先端を遺体の腹腔に挿通すると、体内から排出された体液はチューブ９０を介して袋体２０内に収容される。これにより、体液が遺体被覆体１の外部に漏出するおそれを、低減することができる。そして、この袋体２０は、本体部１１の内表面に装着されているため、外からは見ることができない。これにより、遺族や参列者に意識させることなく、体液を袋体２０に収容する処理をすることができる。
【００２８】
加えて、袋体２０は、面ファスナーを介して本体部１１の内表面に着脱可能である。これにより、通夜と葬儀の間など参列者のいないときに、使用済みの袋体２０から新しい袋体２０に、容易に取り換えることができる。
【００２９】
第一実施形態の変形例として、図３に示すように、本体部１１の内表面に取り付けられたポケット１５を具備する遺体被覆体１ｂとすることができる。このような構成とすることにより、ポケット１５の内部に袋体２０を入れるだけで、袋体２０が本体部１１の内表面に支持されるため、袋体２０の着脱がより容易である。
【００３０】
次に、第二実施形態の遺体被覆体２を、図４を用いて説明する。遺体被覆体２は、遺体を被覆する本体部１２が、焼成した貝殻の粉末を含有する不織布で形成されており、本体部１２は、ファスナー１８で開閉される開口部を備えた袋状に形成されているものである。加えて、本実施形態の本体部１２は、外側が樹脂シートで被覆された不織布で形成されている。
【００３１】
より詳細には、本体部１２は、厚さ１．２ｍｍ〜２．０ｍｍの樹脂シート（塩化ビニル樹脂製）が、接着により不織布と張り合わされた積層シートを、樹脂シートが外側となるように使用して形成されている。
【００３２】
本体部１２の形状は、両端が閉塞された楕円筒状であり、側周面には長軸方向の一端から他端まで達するファスナー１８が設けられている。また、本体部１２の内表面において、ファスナー１８の両側には、第一実施形態と同様の構成の袋体２０が、図示しない面ファスナーを介して装着されている。なお、袋体２０の本体部１２への取り付け位置は、ファスナー１８を開けて形成される開口部から、遺体の顔面が見える向きで遺体を本体部１２内に収容した際に、袋体２０が遺体の腹部の近傍となる位置である。
【００３３】
また、本体部１２の側周面には、輪状の把持部１９が複数取り付けられている。
【００３４】
上記構成の遺体被覆体２２は、遺体の搬送用あるいは災害時の遺体収容のための備蓄品として使用することができる。本体部１２を構成する積層シートの内側は不織布であり、不織布には焼成した貝殻の粉末が含有されているため、その殺菌作用及び細菌の増殖を抑制する作用により、においの発生や遺体の表面部における腐敗の進行を抑制することができる。
【００３５】
また、本体部１２が、不織布の外側に樹脂シートが被覆された積層シートで形成されているため、本体部１２の強度及び耐摩耗性が高く、遺体の搬送用に適している。また、複数の把持部１９を備えているため、複数の人の手で遺体を搬送しやすい。
【００３６】
更に、遺体被覆体２１と同様に、本体部１２の内表面に袋体２０が装着されているため、体内から排出された体液を、チューブを介して袋体２０内に収容することができる。
【００３７】
なお、第二実施形態の変形例として、図５に示すように、本体部１２の内表面に取り付けられたポケット１６を具備する遺体被覆体２ｂとすることができる。このような構成とすることにより、ポケット１６の内部に袋体２０を入れるだけで、袋体２０が本体部１２の内表面に支持されるため、袋体２０の着脱がより容易である。
【００３８】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３９】
例えば、上記では、一つの遺体被覆体の本体部１１，１２に、袋体２０が二つ取り付けられる場合を図示により例示したが、袋体の数はこれに限定されるものではない。
【００４０】
なお、本体部１２が袋状に形成された遺体被覆体２は、ペットなど動物の遺体の収容に使用することも可能である。
【符号の説明】
【００４１】
１，１ｂ，２，２ｂ  遺体被覆体
１１，１２  本体部
１５，１６  ポケット
２０  袋体
【先行技術文献】
【非特許文献】
【００４２】
【非特許文献１】澤井  淳、五十嵐  英夫、菊池  幹夫、「加熱処理した貝殻粉末の抗菌活性を応用した微生物制御」、日本食品微生物学会雑誌、２００３年、第２０巻、第１号、ｐ．１−７
【図１】
0003172526.tif 000003
【図２】
0003172526.tif 000004
【図３】
0003172526.tif 000005
【図４】
0003172526.tif 000006
【図５】
0003172526.tif 000007